(57)【要約】【課題】宝くじ販売と健康飲料のテイクアウト販売を組合せた、バリヤフリー構造で低コストの、設置が容易な宝くじ販売カプセルショップを提供することを課題とする。【解決手段】宝くじ販売店舗１００は、平坦な内部床１３と４面の壁と、天井とからなる略直方体のカプセル１２に形成され、分解・移設可能な組立構造で、内部床１３は、ノンスリップ長尺シート及び手洗い設備下部のタイル床とし、側壁の開口部に取り付けられた自動シャッター１の内側には、車椅子昇降機２（車椅子ホイスト）が備えられており、自動シャッター１をあけて、段差のある設置場所の床面から車椅子ごと入室可能とされている。【選択図】　　　　　図４
0003097603.tif 000002
【実用新案登録請求の範囲】
【請求項１】
駅構内或いはショッピングセンター構内を含む公衆の集まる場所に設置される宝くじ販売店舗であって、床と天井と４面の壁からなる略直方体の分解移設可能なカプセルに形成され、少なくとも車椅子が通過できる幅の出入り口と、平坦なカプセル床と、設置場所の構内床とカプセル床の段差を車椅子で通過可能な入室手段とを備えていることを特徴とする身体障害者が働ける宝くじ販売店舗。
【請求項２】
前記カプセルの一方の壁面に、宝くじ購入希望者と対面販売するための透明窓と、宝くじ販売窓口の小開口部を備え、他の一方の壁面外部に、記入型宝くじの記入カウンターを備え、該透明窓は衝撃対応素材で構成されていることを特徴とする請求項１記載の身体障害者が働ける宝くじ販売店舗。
【請求項３】
前記入室手段は、カプセル床下に収納可能に形成されたスロープ又は車椅子ホイスト（車椅子昇降機）のいずれかによることを特徴とする請求項１または２に記載の身体障害者が働ける宝くじ販売店舗。
【請求項４】
前記カプセルの宝くじ販売窓口の反対側の壁面に、軽飲食品の販売開口部と販売カウンターとを備えることを特徴とする請求項１乃至３のいずれかに記載の身体障害者が働ける宝くじ販売店舗。
【請求項５】
前記カプセル内部には、通信回線を介して警備会社と接続可能な警報装置及び通信機器と、販売用宝くじの収納棚及び引き出しと、現金収納金庫と、当りくじ検索装置と、自動焙煎抽出するコーヒードリップマシンと、テイクアウト可能な軽食品展示棚とを少なくとも備え、宝くじ販売とテイクアウト飲食物販売の複合店舗として稼動させることを特徴とする請求項１乃至５のいずれかに記載の身体障害者が働ける宝くじ販売店舗。
【考案の詳細な説明】
【０００１】
【考案の属する技術分野】
本考案は、分解移設可能な宝くじ販売店舗に関し、詳しくは、身体障害者が車椅子で接客応対ができる構造を備えたカプセルショップに関する。
【０００２】
【従来の技術】
従来、宝くじの売上は年々増加傾向にありマーケットとして大きく安定した市場であった。この宝くじの販売店舗は、駅周辺或いは百貨店、ショッピングセンター等の路面に面した場所に設けられていたが、一等地が大半を占めているため狭隘な店舗面積に販売員の着座スペースが設けられている場合がほとんどであった。
【０００３】
歩行障害を有する身体障害者や、高齢者が自活できる職場の提供として、一定場所での窓口販売であり安定的な売上が期待できる宝くじ販売は、補助金や助成金によることなく自活可能であることから、事業として最適であるが前記のように、身体障害者とその補助者が働く為に考慮された広さが確保されていない問題があった。
【０００４】
また、駅などの公共施設運営事業者や、ショッピングセンター運営企業においては、身体障害者や高齢者の雇用創出や、場所の提供を望んでいるが、これに適した少ない投資で且つ自活可能な事業形態が見つからない問題があった。
【０００５】
さらに、介護者或いは補助者を含めた複数人の勤務であっても、それぞれが分担できる業務が発生し、社会参加による働いている喜びを与えるには、単一の業態ではなく複合業態の接客業務であることが望まれていた。しかし、身体障害者或いは高齢者向けの複合店舗業態で事業採算が見込める宝くじ販売店舗形態は提供されていなかった。なお、身体障害者対応の施設としては特許文献１に身障者用試着室が開示されている。
【０００６】
【特許文献１】
特開２０００−３２０１７２号公報（第２頁、第図１）
【０００７】
【考案が解決しようとする課題】
本考案は前述の問題点に鑑みてなされたもので、障害者、高齢者の社会参加を可能にするため、複数の身体障害者と高齢者からなる補助者の運営人員体制で、安定した収益を得ることができる宝くじ販売と健康飲料のテイクアウト販売を組合わせ、その斬新性により利用者とのコミュニティを創出し、バリヤフリー構造で低コストの、設置が容易な宝くじ販売カプセルショップを提供することを課題とする。
【０００８】
【課題を解決するための手段】
前記課題を解決するため、本考案の身体障害者が働ける宝くじ販売店舗は、駅構内或いはショッピングセンター構内を含む公衆の集まる場所に設置される宝くじ販売店舗であって、床と天井と４面の壁からなる略直方体の分解移設可能なカプセルに形成され、少なくとも車椅子が通過できる幅の出入り口と、平坦なカプセル床と、設置場所の構内床とカプセル床の段差を車椅子で通過可能な入室手段とを備えていることを特徴とする。
【０００９】
また、前記カプセルの一方の壁面に、宝くじ購入希望者と対面販売するための透明窓と、宝くじ販売窓口の小開口部を備え、他の一方の壁面外部に、記入型宝くじの記入カウンターを備え、該透明窓は衝撃対応素材で構成されていることを特徴とする。
【００１０】
また、前記入室手段は、収納可能に形成されたスロープ又は車椅子ホイスト（車椅子昇降機）のいずれかによることを特徴とする。
【００１１】
また、前記カプセルの宝くじ販売窓口の反対側の壁面に、軽飲食品の販売開口部と販売カウンターとを備えることを特徴とする。
【００１２】
また、前記カプセル内部には、通信回線を介して警備会社と接続可能な警報装置及び通信機器と、販売用宝くじの収納棚及び引き出しと、現金収納金庫と、当りくじ検索装置と、自動焙煎抽出するコーヒードリップマシンと、テイクアウト可能な軽食品展示棚とを少なくとも備え、宝くじ販売とテイクアウト飲食物販売の複合店舗として稼動させることを特徴とする。
【００１３】
この考案によれば、車椅子で入出可能で、平坦な床を移動可能にされた分解移設可能なカプセルに形成されているため、設置及び移設が容易に行え、さらに限られた面積で、現金を扱う堅固なカプセルとすることができる。また、淹れたてのコーヒなどの飲料及びスナック菓子の販売店舗としての複合機能を備えるため、身体障害者とその補助者の組み合わせで運営することができる。
【００１４】
また、一定の売上が期待できる宝くじ販売を主体とすることから、身体障害者及び補助を行う高齢者の自活が可能な事業となり、補助金や助成金に頼ることのない運営を行うことができる。
【００１５】
【考案の実施の形態】
以下、本考案の身体障害者が働ける宝くじ販売店舗の実施の形態を図を参照して詳細に説明する。
【００１６】
まず、本考案の宝くじ販売店舗（販売カプセル）１００の外観の実施の形態から説明する。図１、図２、図３は、本考案の第一の実施の形態の宝くじ販売店舗（販売カプセル）１００の外観図である。図１は宝くじ販売窓口側の側面図、図２は飲料販売側の側面図、図３は正面図である。
【００１７】
図１は、宝くじ販売窓口側の側面図である。宝くじ販売店舗（販売カプセル）１００は、設置場所の床面上に、高さ調節可能なアジャスター３４を介して本体１２が設置されている。出入り口には遠隔操作で自動昇降して開閉することができる自動シャッター１が設けられている。宝くじ売り場屋根３１ａの上部にはメイン電飾サイン３１が設けられ、屋根３１ａの側面には宝くじ売り場電飾サイン３３を備える。
【００１８】
宝くじ売り場は耐衝撃性を有する透明ウィンドー３ａ、３ｂとされ、その下部に開口された宝くじ販売窓口４が２ヶ所設けられた宝くじカウンター５とされている。カプセルの正面側にはロトなどの記入式宝くじの記入カウンター７が設けられている。
【００１９】
図２は、飲料販売側の側面図である。本体１２の背面側上部にはカプセル内の換気を行うための通気ガラリ３０が設けられている。カフェ売り場屋根３１ｂの上部にはメイン電飾サイン３１が設けられてこちら側から接近する利用者にも売り場の存在を認知させる用にされている。飲料・軽食品の販売開口部は、透明ウィングドア８とされており、販売中は上部に開いて開口させる。また、軽食品の商品展示棚２８が透明ウィンドー３ｄの内部に設けられている。販売開口部の下部には飲料や商品を受け渡すカフェカウンター９とされている。
【００２０】
図３は、宝くじ販売店舗（販売カプセル）１００の正面を示す外観図である。透明ウィンドー３ｂ、３ｃは側面から正面に向かって曲面とされており、カプセル内部が正面からも覗ける様にされている。正面中央はショップサインボード６とされており、その上部にはメイン電飾サイン３５が設けられその下部にポスター、告知を貼りだしたり、記載することができるメインサインスペース３６が設けられている。側面の宝くじカウンター５、カフェカウンター９と同じ高さに宝くじ記入カウンター７が設けられている。
【００２１】
図４は、本考案の一実施の形態の宝くじ販売店舗の構成を示す平面図である。宝くじ販売店舗１００は、平坦なノンスリップ仕様の内部床１３と４面の壁と、天井とからなる略直方体のカプセル本体１２に形成され、分解・移設可能な組立構造とされている。
【００２２】
これらの壁及び天井の外装は、外装用化粧ボードを主体とし、板金、ＦＲＰ、フレキボード、不燃造形素材、ノンバーテックなどの素材で店舗外装の装飾を行い、公衆の集まる場所で際立って集客効果を高める外観とする。
【００２３】
この実施の形態の床面積は、幅２．７メートル、長さ３．６メートルであり、９．７２ｍ２（２．９坪）の小面積で配置可能としている。
【００２４】
また、内部床１は、ノンスリップ長尺シート及び手洗い設備下部のタイル床とし、壁面及び天井の内装は、化粧ボード、クロス貼り、シート貼り又は塗装仕上げとされる。
【００２５】
側壁の開口部に取り付けられた自動シャッター１の内側には、車椅子昇降機２（車椅子ホイスト）が備えられており、自動シャッター１をあけて、段差のある設置場所の床面から車椅子ごと入室可能とされている。
【００２６】
なお、自動シャッター１は、遠隔操作で開閉可能なリモートコントロールを備え、身体障害者が車椅子上から開閉することができる。さらに、警報装置付きの施錠装置を備えて、不意の侵入者を防止する防犯手段を設ける。このカプセルの内壁面の上部にカプセル内の要所に設けた非常ボタン２７ａ、２７ｂ、２７ｃ、２７ｄからの信号を受信して警報を発信すると共にアンプ機能を有する警報盤２２を備える。
【００２７】
背面壁１２ａの壁面上部には、カプセル内の照明及び機器類に電源を供給する分電盤２３と、カプセル内の空調を行う空調装置２４を備える。尚、空調装置２４は天井面に取り付けても良い。
【００２８】
入口の反対側の壁面下部には、資材（封筒、飲料カップなど）を収納する内部収納棚１１を備え、その上部には電話・ＦＡＸ兼用の通信機器２１を備える。
【００２９】
さらにこの領域には、身体障害者が車椅子で入れる広さにアコーディオンカーテン２５で仕切り可能な着替えエリアとなるようにカーテンレール２６が天井に設けられている。
【００３０】
次に、宝くじ販売窓口について説明する。背面壁１２ａの前方は、透明ウィンドー３ａ、３ｂ、３ｃ、３ｄとされおり、カプセル内部が覗ける開放感のある販売店舗構造とされている。その一方の側面の透明ウィンドー３ａの下部に宝くじカウンター５が設けられ、２名の販売員が車椅子に着座して販売可能とされている。
【００３１】
透明ウィンドー３ａの下部には、宝くじカウンター５に接する宝くじ販売窓口４が開口している。カプセル内部の宝くじカウンター５の下部は販売用宝くじを収納する引き出し１４ａ、１４ｂが設けられている。また、宝くじカウンター５の下部に販売代金の現金収納庫（小型金庫）２９が備えられる。
【００３２】
この宝くじカウンター５には、非常の際に警報を発する非常ボタン２７ａ、２７ｂが外部から見えない場所に設けられている。さらに、カプセル内の要所に非常ボタン２７ｃ、２７ｄを設け非常の際に複数の在室者のいずれかが通報可能としておく。
【００３３】
又、正面壁の外部には、ロト、ナンバーズなどの記入型（マーク）宝くじ記入カウンター７が設けられている。
【００３４】
正面壁の内部の作業テーブル１８にはコーヒードリップマシン１９と、オンラインくじ用端末機１６と、当たりくじ表示装置１５とが配置される。当たりくじ表示装置１５は、テーブル下に配置された当りくじ検索装置１７に接続されカプセル外から画面が見れるように配置されている。
【００３５】
前記コーヒードリップマシン１９は、ボタン一つでコーヒーの焙煎、挽き、抽出を自動的に行うコーヒードリップマシンで、焙煎直後に挽きたてのオーガニックコーヒーを自動抽出する装置である。図示しないが、３種類のコーヒ豆を使用する場合３台の専用機を設置する。
【００３６】
一方の側面壁にはカフェカウンター９が設けられ、透明ウィングドア８が開口されてコーヒなどの飲料のテイクアウト窓口とされている。開口は、営業中上部に跳ね上げて開口する。
【００３７】
カプセル内のカフェカウンター９には、衛生確保のための手洗い２０が設けられている。また、透明ウィンドー３ｄの上部にはスナック菓子などの軽食品の商品展示棚２８が設けられている。また、カフェカウンター９の下部には収納用の引き出し１４ｃ、１４ｄが設けられている。
【００３８】
図５は、本考案の第１の実施の形態の宝くじ販売店舗（販売カプセル）の斜視図である。図に示すように宝くじ窓口の一方に身体障害者が車椅子使用の状態で販売を行えるようにされている。
【００３９】
図６は、本考案の第１の実施の形態の宝くじ販売店舗（販売カプセル）をカフェカウンター側からみた斜視図である。図に示すように、営業中は、透明ウィングドアを上方に跳ね上げてテイクアウト飲料を販売する。
【００４０】
図７は、本考案の第２の実施の形態の宝くじ販売店舗１００Ａを示す斜視図である。この実施の形態では、宝くじ販売窓口と、飲料販売窓口を並列に配置し、背面が壁や通路に設置可能としたもので、奥行きの狭い場所に設置可能となる。
【００４１】
図８は、本考案の第３の実施の形態の宝くじ販売店舗１００Ｂを示す斜視図である。この形態では、宝くじ販売窓口を両面に配置したもので、略正方形の少ない面積としてある。このため、面積の確保がむずかしく、混雑した場所にも対応することができる。
【００４２】
この考案によれば、店舗はアセンブリーで供給することが可能であるため、接地施設に直接工事を施す必要がない。又、占有面積も６．６ｍ２〜９．９ｍ２（２〜３坪）にすることができるため、設営地を自由に設定することができる。このため、例えばショッピングセンターのコミュニティスペースの一角に設営することによりショッピングの合間の休憩に気軽に利用してもらうことが可能となる。
【００４３】
また、ＪＲ、私鉄などの駅構内、商店街の一角など活性化の必要な場所への出展が可能である。
【００４４】
また、宝くじ販売の手数料収入が基本収益をなすため、確実な事業運営が可能となり、身体障害者及び高齢者に安定した職場を提供することが可能となる。
【００４５】
なお、本考案の技術的思想は、宝くじ販売店舗を身体障害者が勤務できるバリアフリー構造とし、軽飲料等の販売サービスとの複合業態としたものであり、第１から第３の実施の形態に示した店舗デザインに限ることなく、どのような外観の店舗デザインとしてもよい。
【００４６】
【考案の効果】
本考案の身体障害者が働ける宝くじ販売店舗によれば、分解移設可能なカプセルに形成されているため、設置及び移設が容易に行え、さらに限られた面積で、現金を扱う堅固なカプセルとすることができる。
【００４７】
また、淹れたてのコーヒなどの飲料及びスナック菓子の販売店舗としての複合機能を備えるため、身体障害者とその補助者の組み合わせで運営することができ、一定の売上が期待できる宝くじ販売を主体とすることから、身体障害者及び補助を行う高齢者の自活が可能な事業環境を提供することができる。
【図面の簡単な説明】
【図１】本考案の第１の実施の形態の宝くじ販売店舗（販売カプセル）１００の外観を示す宝くじ販売窓口側の側面図である。
【図２】本考案の第１の実施の形態の宝くじ販売店舗（販売カプセル）１００の外観を示す飲料販売側の側面図である。
【図３】本考案の第１の実施の形態の宝くじ販売店舗（販売カプセル）１００の外観を示す正面図である。
【図４】本考案の第１の実施の形態の宝くじ販売店舗の構成を示す平面図である。
【図５】本考案の第１の実施の形態の宝くじ販売店舗の斜視図である。
【図６】本考案の第１の実施の形態の宝くじ販売店舗のカフェカウンター側の斜視図である。
【図７】本考案の第２の実施の形態の宝くじ販売店舗の斜視図である。
【図８】本考案の第３の実施の形態の宝くじ販売店舗の斜視図である。
【符号の説明】
１　　自動シャッター
２　　車椅子昇降機
３ａ、３ｂ、３ｃ、３ｄ　　透明ウィンドー
４　　宝くじ販売窓口
５　　宝くじカウンター
６　　ショップサインボード
７　　宝くじ記入カウンター
８　　透明ウィングドア
９　　カフェカウンター
１０　　換気扇
１１　　内部収納棚
１２　　本体
１２ａ　　背面壁
１３　　内部床（ノンスリップ仕様）
１４ａ、１４ｂ、１４ｃ、１４ｄ　　引き出し
１５　　当りくじ表示装置
１６　　オンラインくじ用端末機
１７　　当りくじ検索装置
１８　　作業テーブル
１９　　コーヒードリップマシン
２０　　手洗い
２１　　通信機器
２２　　警報盤（アンプ含む）
２３　　分電盤
２４　　空調機
２５　　アコーディオンカーテン
２６　　カーテンレール（天付き）
２７　　非常ボタン
２８　　商品展示棚
２９　　現金収納庫
３０　　通気ガラリ
３１　　カフェ売り場屋根
３２　　メイン電飾サイン側面
３３　　宝くじ売り場電飾サイン
３４　　アジャスター
３５　　メイン電飾サイン
３６　　メインサインスペース
１００、１００Ａ、１００Ｂ　　宝くじ販売店舗（カプセル店舗）
【図１】
0003097603.tif 000003
【図２】
0003097603.tif 000004
【図３】
0003097603.tif 000005
【図４】
0003097603.tif 000006
【図５】
0003097603.tif 000007
【図６】
0003097603.tif 000008
【図７】
0003097603.tif 000009
【図８】
0003097603.tif 000010